(57)【要約】【課題】輸送時の衝撃等によってキー部材とベース部材との係合が外れにくく、且つ、包装箱の開梱時に容易に取り外し可能である包装用止め具およびそれを用いて連結された包装箱を提供する。【解決手段】包装用止め具は、ベース部材と、キー部材とを備える。ベース部材は、二以上の包装材に形成された貫通穴に挿入される筒状部と、筒状部の一端側周縁部に設けられた鍔部と、筒状部の対向する内壁面に第１ヒンジ部を介して連結され、筒状部の他端側方向に屈曲する一対のフック部材と、を有する。キー部材は、筒状部内に鍔部側から挿抜可能な押し開き部と、押し開き部を引き抜く際に指を挿入可能な表面側開口と、を有する。キー部材には、押し開き部が筒状部内に挿入された状態でベース部材の被係合部に係合するロック爪と、ロック爪と被係合部との係合を解除する揺動片と、が設けられる。【選択図】図５
2020128246.tif 000002
【特許請求の範囲】
【請求項１】
貫通穴が形成された二以上の包装材の前記貫通穴を重ね合わせた状態で前記貫通穴に挿入される筒状部と、前記筒状部の一端側周縁部に設けられた鍔部と、前記筒状部の対向する内壁面に第１ヒンジ部を介して連結され、前記第１ヒンジ部を基端部として前記鍔部と反対方向にＬ字形に屈曲する一対のフック部材と、を有するベース部材と、
前記ベース部材の前記筒状部内に前記鍔部側から挿抜可能な押し開き部と、前記押し開き部を前記筒状部から引き抜く際に指を挿入可能な表面側開口と、を有し、前記ベース部材に第２ヒンジ部を介して連結されるキー部材と、
を備え、
前記押し開き部を前記筒状部内に挿入することにより、前記フック部材が前記第１ヒンジ部を支軸として前記筒状部の他端側方向に回動し、前記鍔部と前記フック部材によって前記二以上の包装材が挟持される包装用止め具において、
前記キー部材は、
前記第２ヒンジ部と反対側の端縁に形成され、前記押し開き部を前記筒状部の内部に挿入したとき前記ベース部材に形成された被係合部に係合するロック爪と、
前記表面側開口の前記ロック爪側の開口端から前記押し開き部の内部に延設され、前記ロック爪に対し当接または離間する方向に揺動可能である揺動片と、
を有し、
前記揺動片により前記ロック爪を押圧することで前記ロック爪と前記被係合部との係合を解除可能であることを特徴とする包装用止め具。
【請求項２】
前記被係合部側から見て前記ロック爪の前記揺動片との対向背面には押し上げ片が形成されており、前記揺動片が前記押し上げ片を下方から押し上げることで前記ロック爪が前記被係合部から離間する方向に弾性変形することを特徴とする請求項１に記載の包装用止め具。
【請求項３】
前記揺動片は、前記表面側開口の開口縁に第３ヒンジ部を介して支持されることを特徴とする請求項１又は請求項２に記載の包装用止め具。
【請求項４】
前記キー部材は、前記表面側開口から挿入された指を前記揺動片に誘導する傾斜板を有することを特徴とする請求項１乃至請求項３のいずれかに記載の包装用止め具。
【請求項５】
前記キー部材は、前記表面側開口に連通するように形成される裏面側開口を有し、
前記揺動片と前記傾斜板とが接触することで前記表面側開口と前記裏面側開口との間を遮断することを特徴とする請求項４に記載の包装用止め具。
【請求項６】
請求項１乃至請求項５のいずれかに記載の包装用止め具を用いて連結された包装箱。
【発明の詳細な説明】
【技術分野】
【０００１】
本発明は、例えば段ボールシートのような包装材に形成された穴を重ね合わせて挿入することにより、２つ以上に分かれている包装材を連結する包装用止め具に関するものである。
【背景技術】
【０００２】
従来、下箱に製品を載置し、上箱を被せて固定する、いわゆるＣ式包装箱が、電子機器等の大型で重量の重い製品を梱包する場合に広く用いられている。
【０００３】
このようなＣ式包装箱を開梱する際に、下箱と上箱とを連結する止め具を容易に取り外す方法が考案されている。例えば特許文献１には、筒状部と、筒状部の一端に設けた鍔部と、筒状部の相対向する内壁にヒンジ部を介して連結された一対のフック部材とを有するベース部材（ベース体）と、ベース部材の筒状部内に挿入可能な押し開き部を有したキー部材（キー体）とを有する包装用止め具が開示されている。
【０００４】
特許文献１に記載の止め具は、ベース部材の筒状部にキー部材を押し込むことによりフック部材が回動し、フック部材とベース部材の鍔部との間に２枚の包装材が挟持されて連結される。そして、キー部材の上面の開口部に指を挿入し、傾斜板に案内されてキー部材の端部に指を掛け、上側に引き上げることにより包装材の連結が解除される。
【０００５】
また特許文献２には、フック部材の押し開き部との当接面に係合突起が形成され、押し開き部のフック部材との当接面に係合突起と係合可能なスリットが形成された包装用止め具が開示されている。特許文献２に記載の包装用止め具は、押し開き部が筒状部内に完全に挿入された状態で係合突起がスリットに係合することにより、キー部材とベース部材との係合状態を維持することができる。
【先行技術文献】
【特許文献】
【０００６】
【特許文献１】特開昭６３−６７２４６号公報
【特許文献２】特開２０１５−４２５６０号公報
【発明の概要】
【発明が解決しようとする課題】
【０００７】
特許文献２の包装用止め具では、輸送等の衝撃によってキー部材とベース部材との係合が外れないようにするためには係合突起とスリットの係合を強固にしておく必要がある。そのため、キー部材とベース部材との係合を解除する際に大きな力が必要となり、包装箱の開梱作業性が低下するという問題点があった。
【０００８】
本発明は、上記問題点に鑑み、輸送時の衝撃等によってキー部材とベース部材との係合が外れにくく、且つ、包装箱の開梱時に容易に取り外し可能である包装用止め具およびそれを用いて連結された包装箱を提供することを目的とする。
【課題を解決するための手段】
【０００９】
上記目的を達成するために本発明の第１の構成は、二以上の包装材が挟持される包装用止め具であって、ベース部材と、キー部材とを備える。ベース部材は、貫通穴が形成された二以上の包装材の貫通穴を重ね合わせた状態で貫通穴に挿入される筒状部と、筒状部の一端側周縁部に設けられた鍔部と、筒状部の対向する内壁面に第１ヒンジ部を介して連結され、第１ヒンジ部を基端部として筒状部の他端側方向にＬ字形に屈曲する一対のフック部材と、を有する。キー部材は、ベース部材の筒状部内に鍔部側から挿抜可能な押し開き部と、押し開き部を筒状部から引き抜く際に指を挿入可能な表面側開口と、を有し、ベース部材に第２ヒンジ部を介して連結される。押し開き部を筒状部内に挿入することにより、フック部材が第１ヒンジ部を支軸として鍔部と反対方向に回動し、鍔部とフック部材によって二以上の包装材が挟持される。キー部材は、ロック爪と、揺動片と、を有する。ロック爪は、第２ヒンジ部と反対側の端縁に形成され、押し開き部を筒状部の内部に挿入したときベース部材に形成された被係合部に係合する。揺動片は、表面側開口のロック爪側の開口端から押し開き部の内部に延設され、ロック爪に対し当接または離間する方向に揺動可能である。揺動片によりロック爪を押圧することでロック爪と被係合部との係合を解除可能である。
【発明の効果】
【００１０】
本発明の第１の構成によれば、二以上の包装材を連結した状態でキー部材のロック爪がベース部材の被係合部に係合するため、ベース部材へのキー部材の挿入状態が強固に保持される。従って、輸送時の振動や衝撃等による包装用止め具の脱落を効果的に抑制することができる。また、ロック爪を挟んで被係合部と反対側に、ロック爪と被係合部との係合を解除するための揺動片が配置されるため、キー部材の表面側開口から指を差し入れて揺動片を指で押圧するだけでロック爪と被係合部との係合が解除される。従って、包装用止め具の取り外し方法についての説明図がなくても作業者は取り外し方法を容易に理解することができ、ベース部材とキー部材との嵌合を解除する際の操作性も向上する。
【図面の簡単な説明】
【００１１】
【図１】本発明の包装用止め具１０が取り付けられる包装箱１の構成例を示す分解斜視図
【図２】本発明の第１実施形態に係る包装用止め具１０の使用前の状態を鍔部１７側から見た斜視図
【図３】第１実施形態の包装用止め具１０の使用前の状態を筒状部１６側から見た斜視図
【図４】第１実施形態の包装用止め具１０のベース部材１４を第１ヒンジ部１８ａ、１８ｂと垂直な方向から見た側面断面図
【図５】キー部材１５が完全に筒状部１６の内部に挿入された第１実施形態の包装用止め具１０を鍔部１７側から見た斜視図
【図６】キー部材１５が完全に筒状部１６の内部に挿入された第１実施形態の包装用止め具１０を筒状部１６側から見た斜視図
【図７】ベース部材１４にキー部材１５が挿入され、トレイ付きパレット２の側壁５ｂと上箱３とを挟持した第１実施形態の包装用止め具１０を第１ヒンジ部１８ａ、１８ｂと垂直な方向から見た側面断面図
【図８】ベース部材１４にキー部材１５が挿入された第１実施形態の包装用止め具１０を長手方向に沿って切断した側面断面図
【図９】図８の状態から、指を挿入して揺動片３３を押し上げた状態を示す図
【図１０】図９の状態から、揺動片３３をさらに押し上げてロック爪３０と被係合部３１との係合が解除された状態を示す図
【図１１】本発明の第２実施形態に係る包装用止め具１０を長手方向に沿って切断した側面断面図
【発明を実施するための形態】
【００１２】
以下、図面を参照しながら本発明の実施形態について説明する。図１は、本発明の包装用止め具１０が取り付けられる包装箱１の構成例を示す斜視図である。包装箱１は、トレイ付きパレット２と、上箱３と、トレイ付きパレット２上に配置される緩衝材４とから構成されている。
【００１３】
トレイ付きパレット２は、被梱包物である製品（図示せず）が載置される底面５ａおよび底面５ａの周縁に立設された側壁５ｂから成るトレイ５と、トレイ５の下面に固定されるパレット６とから成り、緩衝材４は底面５ａの四隅に側壁５ｂとの間に所定の隙間を隔てて配置されている。トレイ５の各側壁５ｂの中央部には長円形状の貫通穴８ａが形成されている。
【００１４】
上箱３は、製品の側面および上面を覆う底面が開口した角筒状である。上箱３の各側面の下部には、トレイ付きパレット２の貫通穴８ａと重なる位置に、貫通穴８ｂが形成されている。貫通穴８ａ、８ｂを重ねた状態で包装用止め具１０（図２参照）を差し込むことにより、トレイ付きパレット２と上箱３とを一体に連結する。
【００１５】
緩衝材４は、段ボール製、或いは発泡スチロール製であって被梱包物を外部衝撃から保護する。緩衝材４には、製品の形状に合わせて製品載置面４ａが形成されている。緩衝材４の下面には、底面５ａ上に設けられた切り起こし（図示せず）が差し込まれており、各緩衝材４が所定位置に位置決めされ、合わせて水平方向のずれが生じないようになっている。なお、接着等の他の方法により緩衝材４を底面５ａ上に固定してもよい。
【００１６】
パレット６は、例えば段ボールを折り曲げて形成した複数の支柱部６ａと、各支柱部６ａの上下面に固定される天板（図示せず）および底板６ｂとから成り、各支柱部６ａの間には、フォークリフトやハンドパレット（パレット運搬用台車）のアームを挿入するアーム挿入穴９が形成されている。
【００１７】
次に、図１に示した包装箱１を用いて製品を梱包する手順について説明する。先ず、トレイ付きパレット２の底面５ａ上に配置された緩衝材４の製品載置面４ａに製品を載置する。次に、必要に応じて製品の上面、および側面にも緩衝材を配置し、上箱３を被せた後、トレイ付きパレット２の各側壁５ｂを起立させる。最後に、側壁５ｂの貫通穴８ａと、上箱３の貫通穴８ｂを重ねた状態で包装用止め具１０を差し込むことにより、トレイ付きパレット２と上箱３とを一体に連結する。
【００１８】
図２および図３は、それぞれ本発明の第１実施形態に係る包装用止め具１０の使用前の状態を鍔部１７側（包装箱１の外側）および筒状部１６側（包装箱１の内側）から見た斜視図である。図４は、第１実施形態の包装用止め具１０のベース部材１４を第１ヒンジ部１８ａ、１８ｂと垂直な方向から見た側面断面図（図２のＡＡ′矢視断面図）である。
【００１９】
図２および図３に示すように、包装用止め具１０は、ベース部材１４と、連結片２３によりベース部材１４に連結されるキー部材１５とで構成される。ベース部材１４は、筒状部１６と、筒状部１６の一端に設けられた鍔部１７と、筒状部１６の相対向する内面に第１ヒンジ部１８ａ、１８ｂを介して回動可能に連結された一対のフック部材１９ａ、１９ｂを有している。鍔部１７には、ベース部材１４にキー部材１５を挿入した際にキー部材１５の連結片２３が納まる凹部２６が設けられている。
【００２０】
図４に示すように、フック部材１９ａ、１９ｂは、それぞれ第１ヒンジ部１８ａ、１８ｂを基端部として断面視Ｌ字形状に屈曲しており、先端部が筒状部１６から突出している。
【００２１】
キー部材１５は、筒状部１６の内寸とほぼ同じ外寸を有する押し開き部２５を有している。第２ヒンジ部２４に沿って連結片２３を折り曲げることで、押し開き部２５をベース部材１４の筒状部１６内に挿入可能である。キー部材１５の上面および下面には、それぞれ表面側開口２７ａと裏面側開口２７ｂが穿設され、表面側開口２７ａと裏面側開口２７ｂを連結するように断面円弧状の傾斜板２８が設けられている。裏面側開口２７ｂは、包装用止め具１０を成形する際の金型の抜き方向のための開口である。
【００２２】
キー部材１５の第２ヒンジ部２４と反対側の端縁にはロック爪３０および揺動片３３が設けられている。ロック爪３０は、押し開き部２５を筒状部１６の内部に挿入したときベース部材１４の筒状部１６の内周面に形成された被係合部３１に係合する。ロック爪３０の先端には傾斜面３０ａが形成されている。ロック爪３０の背面（揺動片３３との対向面）には押し上げ片３０ｂが形成されている。
【００２３】
揺動片３３は、キー部材１５の表面側開口２７ａの開口縁から押し開き部２５の内部に向かって突設されている。揺動片３３は、ロック爪３０を挟んで被係合部３１と反対側に形成され、第３ヒンジ部３５（図８参照）を揺動軸としてロック爪３０に対し接近または離間する方向に揺動可能である。揺動片３３の初期（デフォルト）姿勢は図８のようにロック爪３０側に傾斜した姿勢でもよいし、表面側開口２７ａに対し垂直な姿勢であってもよい。
【００２４】
以上のように構成された本実施形態の包装用止め具１０を用いて包装箱１を連結する際の動作について説明する。先ず、トレイ付きパレット２の側壁５ｂの貫通穴８ａと上箱３の貫通穴８ｂ（いずれも図１参照）とを重ねた状態で、側壁５ｂの外側から貫通穴８ａ、８ｂに包装用止め具１０のベース部１４を筒状部１６側から差し込む。
【００２５】
次に、図２の状態から、第２ヒンジ部２４に沿ってキー部材１５を回動させてベース部材１４側へ折り返すことにより、押し開き部２５がフック部材１９ａ、１９ｂに当接する。そして、押し開き部２５をベース部材１４の鍔部１７側から筒状部１６の内部に挿入する。これにより、フック部材１９ａ、１９ｂが押し開き部２５によって押圧され、フック部材１９ａ、１９ｂは、それぞれ第１ヒンジ部１８ａ、１８ｂを回動軸として筒状部１６の外側（図４の矢印方向）に回動する。
【００２６】
図５および図６は、それぞれベース部１４にキー部材１５が挿入された第１実施形態の包装用止め具１０を鍔部１７側および筒状部１６側から見た斜視図である。図７は、ベース部１４にキー部材１５が挿入され、トレイ付きパレット２の側壁５ｂと上箱３とを挟持した第１実施形態の包装用止め具１０を第１ヒンジ部１８ａ、１８ｂと垂直な方向から見た側面断面図（図５のＢＢ′矢視断面図）である。
【００２７】
キー部材１５が完全にベース部１４（筒状部１６）の内部に挿入された状態では、押し開き部２５によって押圧されたフック部材１９ａ、１９ｂの先端が筒状部１６から鍔部１７と略平行に突出する。このとき、図７に示すように、トレイ付きパレット２の側壁５ｂと上箱３とが鍔部１７とフック部材１９ａ、１９ｂによって挟持される。
【００２８】
図７のようにトレイ付きパレット２の側壁５ｂと上箱３とを連結した状態で、フック部材１９ａ、１９ｂを内側に回動させようとする外力が加えられた場合、或いは、外力が加わらない場合であっても、第１ヒンジ部１８ａ、１８ｂの復元力によってフック部材１９ａ、１９ｂを内側に回動させようとする力が作用するため、押し開き部２５がフック部材１９ａ、１９ｂによって押し戻される。そのため、キー部材１５とベース部材１４との係合が外れてしまうおそれがある。
【００２９】
そこで、本実施形態ではキー部材１５に設けられたロック爪３０とベース部材１４に設けられた被係合部３１とを用いてキー部材１５とベース部材１４との係合状態を維持する。第２ヒンジ部２４に沿ってキー部材１５を回動させて押し開き部２５を筒状部１６に挿入していくと、ロック爪３０の傾斜面３０ａが被係合部３１に乗り上げることでロック爪３０が被係合部３１から離間する方向に弾性変形する。
【００３０】
図８は、ベース部材１４にキー部材１５が挿入された第１実施形態の包装用止め具１０を長手方向に沿って切断した側面断面図（図５のＣＣ′矢視断面図）である。フック部材１９ａ、１９ｂが押し開き部２５により完全に回動したとき、図８に示すようにロック爪３０の傾斜面３０ａが被係合部３１を乗り越え、弾性変形していたロック爪３０が復元力によってベース部１４の被係合部３１に係合する。これにより、キー部材１５とベース部材１４との係合状態を強固に維持することができる。
【００３１】
一方、包装箱１を開梱する際は、図９に示すように、キー部材１５の上面の表面側開口２７ａから傾斜板２８に沿って指を挿入する。次に、表面側開口２７ａの開口縁に指を掛けて筒状部１６に挿入された押し開き部２５を引き抜こうとすると、指先が表面側開口２７ａの開口縁に支持された揺動片３３を押圧する。
【００３２】
その結果、揺動片３３がロック爪３０に接近する方向に揺動し、ロック爪３０の揺動片３３との対向面に形成された押し上げ片３０ｂを押し上げる。これにより、ロック爪３０が被係合部３１から離間する方向（図９の右方向）に弾性変形し、ロック爪３０と被係合部３１との係合が解除されるため、キー部材１５は鍔部１７の方向に回動可能となる。
【００３３】
図９の状態から指でキー部材１５の上面を押し上げることにより、図１０に示すように押し開き部２５を筒状部１６から引き抜く。押し開き部２５の引き抜き動作に伴い、押し開き部２５に押圧されて外側に回動していたフック部材１９ａ、１９ｂが第１ヒンジ部１８の復元力によって内側に回動し、図４の状態に戻る。最後にベース部１４を貫通穴８ａ、８ｂから引き抜いてトレイ付きパレット２の側壁５ｂと上箱３との連結を解除する。
【００３４】
本実施形態の包装用止め具１０によれば、トレイ付きパレット２の側壁５ｂと上箱３とを連結した状態でキー部材１５のロック爪３０がベース部材１４の被係合部３１に係合するため、ベース部材１４へのキー部材１５の挿入状態が強固に保持される。従って、輸送時の振動や衝撃等による包装用止め具１０の脱落を効果的に抑制することができる。
【００３５】
また、ロック爪３０と被係合部３１との係合を解除するための揺動片３３が、表面側開口２７ａから傾斜板２８に沿って指を差し入れたときに必然的に指で押圧される位置に配置されている。そのため、包装箱１を開梱する際はキー部材１５の表面側開口２７ａから指を差し入れるだけで揺動片３３が指で押圧されてロック爪３０の押し上げ片３０ｂを押し上げ、ロック爪３０と被係合部３１との係合が解除される。従って、包装用止め具１０の取り外し方法についての説明図がなくても作業者は取り外し方法を容易に理解することができ、ベース部材１４とキー部材１５との嵌合を解除する際の操作性も向上する。
【００３６】
図１１は、本発明の第２実施形態に係る包装用止め具１０を長手方向に沿って切断した側面断面図である。本実施形態では、揺動片３３が裏面側開口２７ｂの開口縁付近まで延びている。また、傾斜板２８が揺動片３３に接触する位置まで延在している。包装用止め具１０の他の部分の構成、ロック爪３０と被係合部３１との係合を解除する方法は第１実施形態と同様である。
【００３７】
本実施形態では、揺動片３３と傾斜板２８とによって表面側開口２７ａと裏面側開口２７ｂとの間が遮断されている。これにより、異物や虫等が表面側開口２７ａおよび裏面側開口２７ｂを通過して包装箱１内へ侵入する不具合を抑制することができる。
【００３８】
その他本発明は、上記各実施形態に限定されず、本発明の趣旨を逸脱しない範囲で種々の変更が可能である。例えば、上記各実施形態では、トレイ５とパレット６とから成るトレイ付きパレット２を用いた包装箱１に用いる包装用止め具１０について説明したが、本発明の包装用止め具１０は、パレット６が設けられておらず、上箱３とトレイ５のみから成る包装箱１に対しても同様に適用できるのはもちろんである。
【産業上の利用可能性】
【００３９】
本発明は、段ボールシートのような包装材に形成された穴を重ね合わせて挿入することにより、２つ以上に分かれている包装材を連結する包装用止め具として利用可能である。本発明の利用により、輸送時の衝撃等によってキー部材とベース部材との係合が外れにくく、且つ、キー部材に指を掛けることで容易に取り外し可能である包装用止め具を提供することができる。
【符号の説明】
【００４０】
１              包装箱
２              トレイ付きパレット（包装材）
３              上箱（包装材）
８ａ、８ｂ      貫通穴
１０            包装用止め具
１４            ベース部材
１５            キー部材
１６            筒状部
１７            鍔部
１８ａ、１８ｂ  第１ヒンジ部
１９ａ、１９ｂ  フック部材
２３            連結片
２４            第２ヒンジ部
２５            押し開き部
２７            表面側開口
２７ｂ          裏面側開口
２８            傾斜板
３０            ロック爪
３０ａ          傾斜面
３０ｂ          押し上げ片
３１            被係合部
３３            揺動片
３５            第３ヒンジ部
【図１】
2020128246.tif 000003
【図２】
2020128246.tif 000004
【図３】
2020128246.tif 000005
【図４】
2020128246.tif 000006
【図５】
2020128246.tif 000007
【図６】
2020128246.tif 000008
【図７】
2020128246.tif 000009
【図８】
2020128246.tif 000010
【図９】
2020128246.tif 000011
【図１０】
2020128246.tif 000012
【図１１】
2020128246.tif 000013